(57)【要約】【課題】  従来のしおりとしての機能を有しながらも、書籍や手帳等から脱落せず、また、しおりを挟む書籍や手帳等が無闇に開くことを防止することができ、さらに、書籍や手帳等に、筆記具によって文字等を書き込む際に、下敷としても使用することができるしおりを提供する。【解決手段】  ひも付きしおり１は、所定の大きさ及び厚さを有する平面体からなる本体２と、伸縮可能なひも３と、から構成され、ひも３が、所定の長さを有するリングを形成するように、本体２の一部に固定されていることを特徴としている。また、ひも３は、ゴムバンドであって、本体２の一部に、カシメ４によって固定されている。【選択図】  図１
0003137281.tif 000002
【実用新案登録請求の範囲】
【請求項１】
所定の大きさ及び厚さを有する平面体からなる本体と、伸縮可能なひもと、から構成されるしおりであって、前記ひもが、所定の長さを有するリングを形成するように、前記本体の一部に固定されていることを特徴とする、ひも付きしおり。
【請求項２】
前記ひもが、ゴムバンドであることを特徴とする請求項１に記載のひも付きしおり。
【請求項３】
前記ひもが、前記本体の一部に、カシメによって固定されていることを特徴とする、請求項２に記載のひも付きしおり。
【考案の詳細な説明】
【技術分野】
【０００１】
本考案は、書籍や手帳等の間に挟むことによって、目印として利用される「しおり」に関し、特に、書籍や手帳等から脱落せず、また、しおりを挟む書籍や手帳等が無闇に開くことを防止することができ、さらに、書籍や手帳等に、筆記具によって文字等を書き込む際に、下敷としても使用することができる「しおり」に関する。
【背景技術】
【０００２】
従来より、書籍や手帳等を使用する際、次回の使用時に開きたいページや、頻繁に使用するページ等を、すぐに開けるようにするため、当該ページの目印として、しおりが使用されている。
【０００３】
ところで、このようなしおりを挟んだ書籍や手帳等は、かばん等に収納されて持ち運ばれる場合が多いが、この際に、せっかく所定の位置に挟んだしおりが、書籍や手帳等から脱落してしまい、次回の使用時において、開きたかったページがすぐに開けず、当該ページを改めて探さなければならない、という問題が生じることがあった。
【０００４】
また、このように書籍や手帳等を、かばん等で持ち運ぶ際、しおりの有無に関わらず、書籍や手帳等が開いてしまい、書籍や手帳等を構成する各紙葉が折れ曲がったり、汚れてしまったりする問題が生じることもあった。
【０００５】
さらに、手帳や学習用の書籍等においては、これらの紙葉の一部に、これらを使用する者が、筆記具によって文字等を書き込む場合が多々想定されるが、この場合に、下敷が無いと、書き込む文字等が乱れてしまったり、筆記具の種類や書き込む人の筆圧等によっては、最悪の場合、筆記具の先端が紙葉を突き抜け、書籍や手帳等を棄損してしまったりする、という問題が生じることもあった。
【０００６】
本考案者は、このような実情のもと、従来の目印としての機能を有しながらも、しおりを使用する人達が、より便利に、かつ、快適に使用することができるしおりについて鋭意検討を重ねた。その結果、しおりを、所定の大きさ及び厚さを有する平面体からなる本体と、伸縮可能なひもと、から構成すること等によって、前述したような問題を解決できる、という知見を得、本考案を創作するに至った。
【考案の開示】
【考案が解決しようとする課題】
【０００７】
本考案は、従来のしおりとしての機能を有しながらも、書籍や手帳等から脱落せず、また、しおりを挟む書籍や手帳等が無闇に開くことを防止することができ、さらに、書籍や手帳等に、筆記具によって文字等を書き込む際に、下敷としても使用することができるしおりを提供することを目的とする。
【課題を解決するための手段】
【０００８】
そのための手段として、本考案に係るしおりは、所定の大きさ及び厚さを有する平面体からなる本体と、伸縮可能なひもと、から構成されるひも付きしおりであって、前記ひもが、所定の長さを有するリングを形成するように、前記本体の一部に固定されていることを特徴としている。
【０００９】
また、本考案に係るひも付きしおりは、当該ひもが、ゴムバンドであることや、前記本体の一部に、カシメによって固定されていることも特徴としている。
【考案の効果】
【００１０】
以上のように、本考案に係るひも付きしおりは、伸縮可能なひもが、所定の長さを有するリングを形成するように、しおりの本体の一部に固定されているので、当該ひもを、しおりの本体を挟んだ書籍や手帳等の外側に掛けることによって、書籍や手帳等からのしおりの脱落を防止することができる。
【００１１】
また、このひもの作用により、書籍や手帳等が開かなくなるため、書籍や手帳等を構成する各紙葉が折れ曲がったり、汚れてしまったりすることを未然に防ぐことができる。
【００１２】
さらに、本考案に係るひも付きしおりは、その本体が、所定の大きさ及び厚さを有する平面体からなるため、下敷としても使用することができ、書籍や手帳等に、筆記具によって文字等を書き込む場合、好適にこれを行うことができる、という優れた効果も有している。
【考案を実施するための最良の形態】
【００１３】
以下、添付図面に沿って、本考案の「ひも付きしおり」を実施するための最良の形態について説明する。図１は、本考案の実施形態に係るひも付きしおり１の外観図である。そして、このひも付きしおり１は、本体２と、ひも３と、ひも３を本体２に固定するための止め具としてのカシメ４と、から構成されている。
【００１４】
本体２は、図示されているように、所定の大きさ及び厚さを有する、長方形状をした平面体からなり、紙によって構成されている。また、ひも３は、ゴムバンド（帯状のゴム）によって構成されている。そして、ひも３は、本体２の一部に、ひも３が所定の長さを有するリングを形成するように、カシメ４によって固定されている。
【００１５】
なお、この場合において、カシメ４の位置を、本体２の四隅の一つの近傍とすることが好ましい。これは、カシメ４が、このような位置にないと、本体２を下敷として使用し、筆記具によって文字等を書き込む際に、カシメ４が邪魔になってしまう場合もあるからである。また、カシメ４の位置を、本体２の四隅の一つの近傍とすることによって、ひも付きしおり１の使用態様の一例を示した図３及び図４に示されているように、本体２を書籍５に挟み、この書籍５の外側にひも３を掛ける際に、ひも３を書籍５の前小口５ａに近いところに配置させることができ、これによって、書籍５が開いてしまうことを好適に防止でき、書籍５をしっかりと閉じることができるからである。
【００１６】
また、カシメ４によって、ひも３を本体２に固定する際は、カシメ４周辺の拡大図である図２(ａ)に示したように、カシメ４を、ひも３の最先端部に配置することが好ましく、また、ひも３の長手方向をなす両辺が、本体２を構成する長方形状をした平面体の短辺の一部と直交するように、ひも３を固定することが好ましい。これは、このようにすることで、ひも３を最もデザイン的に美しく、本体２に固定することができるからである。
【００１７】
なお、カシメ４周辺の拡大断面図である図２(ｂ)で示したように、カシメ４を固定する際は、ひも３で本体２を挟み、さらにそのひも３の両外側面を、カシメ４によって挟むようにする。この際、カシメ４は、その両頭部が平坦となるようにして固定されることが好ましい。これは、カシメ４が、本体２から突出していると、ひも付きしおり１のしおり及び下敷としての機能が阻害されてしまう恐れがあり、また、ひも付きしおり１全体のデザイン的な美しさも損なわれてしまうからである。
【００１８】
なお、本実施形態において、本体２の横幅、すなわち、本体２を構成する長方形状をした平面体の短辺の長さは、少なくとも５ｃｍ以上とすることが好ましい。これは、このようにすることで、本考案に係るひも付きしおり１を、下敷として好適に使用することができるからである。
【００１９】
なお、本実施形態においては、本体２を紙によって構成することとしているが、本体２は、下敷として使用に耐えうる強度を有していれば、その材料は、紙に限られず、樹脂等を使用することもできる。また、本実施形態においては、本体２をなす平面体は、長方形状をしているが、所定の大きさを有する平面体であれば、本体２は、長方形状に限られず、正方形や円形、若しくは、多角形からなる平面体等、あらゆる形状の平面体によって構成しても構わない。
【００２０】
また、本実施形態においては、ひも３をゴムバンドとしているが、伸縮可能な材料により構成されていれば、必ずしもゴムを原材料としなくても良く、また、バンド状（帯状）のものでなくても構わない。
【００２１】
さらに、本実施形態においては、止め具としてカシメ４を使用しているが、本体２にひも３を固定できる物であれば、カシメ以外の止め具を使用しても構わない。
【００２２】
そして、以上に説明したような構成からなる本実施形態に係るひも付きしおり１は、図３に示されているように、書籍５の任意のページに置かれることで、しおりとして使用できるほか、下敷としても使用することができる。
【００２３】
また、書籍５が閉じられた後、図４に示したように、ひも３を、書籍５の外側に掛けることによって、ひも付きしおり１は、書籍５から脱落することが無く、また、書籍５が無闇に開くことを、好適に防止することができるようになっている。
【図面の簡単な説明】
【００２４】
【図１】ひも付きしおり１の外観図。
【図２】カシメ４周辺の拡大図。
【図３】ひも付きしおり１の使用態様の一例を示した図。
【図４】ひも付きしおり１の使用態様の一例を示した図。
【符号の説明】
【００２５】
１：ひも付きしおり、
２：本体、
３：ひも、
４：カシメ、
５：書籍、
５ａ：書籍５の前小口
【図１】
0003137281.tif 000003
【図２】
0003137281.tif 000004
【図３】
0003137281.tif 000005
【図４】
0003137281.tif 000006